(57)【要約】【課題】階層化された操作画面における操作性を向上させる。【解決手段】画面表示を行う表示部と、操作者による操作を受け付ける操作部と、表示部および操作部を制御する制御部を備え、制御部は、階層構造を有しそれぞれ１または２以上の入力部が設けられた操作画面を表示部に表示するとともに、操作画面に、前記操作部における入力位置を示すカーソルを表示し、操作部によるカーソル移動操作に応じてカーソルを操作画面上で移動させる制御を行い、さらに下位階層の操作画面の入力部に対し操作部による入力操作がされた場合、戻り先の上位階層の操作画面において、入力操作がされた入力部に関連し、上位階層の操作画面に設けられている入力部側に、カーソルを自動的に移動して位置させるカーソル自動移動制御を行う。【選択図】図６
2014067307.tif 000002
【特許請求の範囲】
【請求項１】
画面表示を行う表示部と、操作者による操作を受け付ける操作部と、前記表示部および前記操作部を制御する制御部とを備え、
前記制御部は、階層構造を有しそれぞれ１または２以上の入力部が設けられた操作画面を前記表示部に表示するとともに、前記操作画面に、前記操作部における入力位置を示すカーソルを表示し、前記操作部によるカーソル移動操作に応じて前記カーソルを前記操作画面上で移動させる制御を行い、
さらに下位階層の前記操作画面の前記入力部に対し前記操作部による入力操作がされた場合、戻り先の上位階層の前記操作画面において、前記入力操作がされた前記入力部に関連し、上位階層の前記操作画面に設けられている前記入力部側に、前記カーソルを自動的に移動して位置させるカーソル自動移動制御を行うことを特徴とする画像形成装置。
【請求項２】
前記下位階層の前記操作画面に設けられた前記入力部が設定項目に関するＯＫ釦とキャンセル釦であり、前記入力部に関連する、上位階層の前記操作画面における前記入力部が、設定項目に関するＯＫ釦とキャンセル釦であることを特徴とする請求項１記載の画像形成装置。
【請求項３】
前記制御部は、前記カーソル自動移動制御で、前記カーソルを前記入力部上または前記入力部の予め定めた周囲領域に位置させることを特徴とする請求項１または２に記載の画像形成装置。
【請求項４】
前記操作画面が画像形成に関わる設定画面であることを特徴とする請求項１〜３のいずれか１項に記載の画像形成装置。
【請求項５】
前記上位階層の前記操作画面で、該操作画面が表示されて設定が変更された後に、下位階層の前記操作画面で前記入力部に対し前記操作部による入力操作がされた場合、前記カーソル自動移動制御を実行しないことを特徴とする請求項４に記載の画像形成装置。
【請求項６】
下位階層の前記操作画面で設定が変更されたことで、戻り先の上位階層の前記操作画面で設定可能な状態の入力部が出現した場合、下位階層の前記操作画面で前記入力部に対し前記操作部による入力操作がされた際に前記カーソル自動移動制御を実行しないことを特徴とする請求項４または５に記載の画像形成装置。
【請求項７】
前記制御部は、前記カーソル自動移動制御を行うかを設定可能であることを特徴とする請求項１〜６のいずれか１項に記載の画像形成装置。
【請求項８】
階層構造を有しそれぞれ１または２以上の入力部が設けられた操作画面を表示部に表示するとともに、前記操作画面に、操作者による操作を受け付ける操作部における入力位置を示すカーソルを表示し、前記操作部によるカーソル移動操作に応じて前記カーソルを前記操作画面上で移動させ、下位階層の前記操作画面の前記入力部に対し前記操作部による入力操作がされた場合、戻り先の上位階層の前記操作画面において、前記入力操作がされた前記入力部に関連し、上位階層の前記操作画面に設けられている前記入力部側に、前記カーソルを自動的に移動して位置させることを特徴とする画像形成装置の操作画面表示方法。
【発明の詳細な説明】
【技術分野】
【０００１】
この発明は、画像形成を行う画像形成装置および該画像形成装置の操作画面表示方法に関するものである。
【背景技術】
【０００２】
用紙への画像形成を行う複写機、プリンター、ファクシミリまたはこれらの複合機能を有する複合機などの画像形成装置では、画面表示を行う表示部と、操作者による操作を受け付ける操作部とを備え、各種設定などを可能にしている。
なお、プリントショップ等で使用されるプロダクションプリンターは、オフィスで使用される複合機と比べ、オフセット印刷に近い、高画質、高生産性を求められている。
特に近年、このような印刷業界で使用されるプロダクションプリンターのユーザーインターフェースはよりＰＣライクになっており、設定にはマウス／キーボードを用いるのが一般的になっている。
また、この業界では当然、ユーザの印刷物に対する要望も多種多様であるため、様々な後処理機を接続し、多機能な設定メニューや調整メニューを用意している。このため、設定画面の階層が深くなってしまい、所望する設定に値を確定するためには、ユーザーは深階層画面から何度もＯＫ釦を押下する必要がある。
【０００３】
例えば、特許文献１では、最も操作される確率が高い釦までマウスカーソルを自動移動する技術が提案されている。また特許文献２においては、既定の位置にマウスカーソルを自動移動する技術が提案されている。
【先行技術文献】
【特許文献】
【０００４】
【特許文献１】特開平０９−２４４８６３号公報
【特許文献２】特開平０８−１５２９７２号公報
【発明の概要】
【発明が解決しようとする課題】
【０００５】
しかし、画像形成装置のように設定内容などが多岐に亘り、操作画面においても確定またはキャンセルまでの階層が深い場合には、上記の先行技術を利用しても操作性の改善には繋がらず、問題解決には至らない。さらに操作性の煩わしさの影響で、機械の稼働率の低下、生産性の低下が課題となっている。
【０００６】
本発明は、上記事情を背景としてなされたものであり、操作性が改善され、生産性の向上が可能となる画像形成装置および画像形成装置の操作画面表示方法を提供することを目的とする。
【課題を解決するための手段】
【０００７】
すなわち本発明の画像形成装置のうち、第１の本発明は、画面表示を行う表示部と、操作者による操作を受け付ける操作部と、前記表示部および前記操作部を制御する制御部とを備え、
前記制御部は、階層構造を有しそれぞれ１または２以上の入力部が設けられた操作画面を前記表示部に表示するとともに、前記操作画面に、前記操作部における入力位置を示すカーソルを表示し、前記操作部によるカーソル移動操作に応じて前記カーソルを前記操作画面上で移動させる制御を行い、
さらに下位階層の前記操作画面の前記入力部に対し前記操作部による入力操作がされた場合、戻り先の上位階層の前記操作画面において、前記入力操作がされた前記入力部に関連し、上位階層の前記操作画面に設けられている前記入力部側に、前記カーソルを自動的に移動して位置させるカーソル自動移動制御を行うことを特徴とする。
【０００８】
第２の本発明の画像形成装置は、前記第１の本発明において、前記下位階層の前記操作画面に設けられた前記入力部が設定項目に関するＯＫ釦とキャンセル釦であり、前記入力部に関連する、上位階層の前記操作画面における前記入力部が、設定項目に関するＯＫ釦とキャンセル釦であることを特徴とする。
【０００９】
第３の本発明の画像形成装置は、前記第１または第２の本発明において、前記制御部は、前記カーソル自動移動制御で、前記カーソルを前記入力部上または前記入力部の予め定めた周囲領域に位置させることを特徴とする。
【００１０】
第４の本発明の画像形成装置は、前記第１〜第３の本発明のいずれかにおいて、前記操作画面が画像形成に関わる設定画面であることを特徴とする。
【００１１】
第５の本発明の画像形成装置は、前記第４の本発明において、前記上位階層の前記操作画面で、該操作画面が表示されて設定が変更された後に、下位階層の前記操作画面で前記入力部に対し前記操作部による入力操作がされた場合、前記カーソル自動移動制御を実行しないことを特徴とする。
【００１２】
第６の本発明の画像形成装置は、前記第４または第５の本発明において、下位階層の前記操作画面で設定が変更されたことで、戻り先の上位階層の前記操作画面で設定可能な状態の入力部が出現した場合、下位階層の前記操作画面で前記入力部に対し前記操作部による入力操作がされた際に前記カーソル自動移動制御を実行しないことを特徴とする。
【００１３】
第７の本発明の画像形成装置は、前記第１〜第６の本発明のいずれかにおいて、前記制御部は、前記カーソル自動移動制御を行うかを設定可能であることを特徴とする。
【００１４】
第８の本発明の画像形成装置の操作画面表示方法は、階層構造を有しそれぞれ１または２以上の入力部が設けられた操作画面を表示部に表示するとともに、前記操作画面に、操作者による操作を受け付ける操作部における入力位置を示すカーソルを表示し、前記操作部によるカーソル移動操作に応じて前記カーソルを前記操作画面上で移動させ、下位階層の前記操作画面の前記入力部に対し前記操作部による入力操作がされた場合、戻り先の上位階層の前記操作画面において、前記入力操作がされた前記入力部に関連し、上位階層の前記操作画面に設けられている前記入力部側に、前記カーソルを自動的に移動して位置させることを特徴とする
【発明の効果】
【００１５】
すなわち、本発明によれば、下位階層の操作画面で入力部に対し操作入力がされると、上位階層の操作画面の関連する入力部側にカーソルを位置させることができ、その後の操作を容易にする効果があり、生産性を向上させる効果も得られる。
【図面の簡単な説明】
【００１６】
【図１】本発明の一実施形態の画像形成装置の概略を示す図である。
【図２】同じく、制御ブロック図である。
【図３】同じく、表示部に表示された上位階層の操作画面例であるジョブリスト画面を示す図である。
【図４】同じく、表示部に表示された下位階層の操作画面例であるチケット編集画面を示す図である。
【図５】同じく、表示部に表示された他例の下位階層の操作画面例である小冊子設定画面を示す図である。
【図６】同じく、表示部に表示されたさらに下位階層の操作画面例である外側オフセット値入力画面とマウス自動移動を示す図である。
【図７】同じく、マウス移動先を説明する図である。
【図８】同じく、表示部に表示されたマウス設定画面の例を示す図である。
【図９】同じく、表示部に表示されたマウス設定画面の下位階層のカーソル自動移動設定編集画面の例を示す図である。
【図１０】同じく、カーソル自動移動設定編集画面の他の例を示す図である。
【図１１】同じく、操作画面に対する操作に対するカーソル移動の処理手順を示す図である。
【発明を実施するための形態】
【００１７】
以下に、本発明の一実施形態を添付図面に基づいて説明する。
画像形成装置１は、図１に示すように、画像形成装置本体１０内に用紙に画像形成を行う画像形成部１５を有しており、画像形成装置本体１０の下方側に用紙を収納して給紙する給紙トレイ１１が設けられている。さらに、給紙トレイ１１から画像形成部１５を経て画像形成装置本体１０外に用紙を搬送する搬送部１２を有しており、これら給紙トレイ１１、搬送部１２、画像形成部１５などによってプリンター部１５０が構成されている。
【００１８】
画像形成部１５は、入力されたジョブデータ（画像データ）に基づいて、電子写真方式の画像形成処理を行う。画像形成部１５は、像担持体としての感光体ドラム、帯電部、露光部（レーザ光源、ポリゴンミラー）、現像部、転写部、分離除電部、クリーナ（いずれも図示略）、定着器などを有している。
【００１９】
画像形成する場合、画像形成部１５は、レーザ光源とポリゴンミラーとにより、帯電部によって一様帯電されて回転している感光体ドラムの表面に露光して、感光体ドラムの面上に画像データに対応した静電潜像を形成する。そして、画像形成部１５は、静電潜像を現像部により反転現像して、黒色のトナー像を感光体ドラム上に形成する。そして、画像形成部１５は、トナー像形成のタイミングに対応して、転写領域において、感光体ドラムの表面に形成されたトナー像を、転写部により反対極性に帯電された用紙に転写する。用紙は、このタイミングに合わせて搬送部１２によって転写部に搬送される。そして、画像形成部１５では、トナー像が担持された用紙を、分離除電部の作用により、感光体ドラムの表面から分離させ、定着器に送出し、感光体ドラムのトナーをクリーナにより除去する。
なお、本実施の形態では、画像形成装置１の構成は、モノクロ画像を形成する画像形成装置として説明しているが、これに限定されるものではなく、Ｃ（シアン）、Ｍ（マゼンタ）、Ｙ（イエロー）、Ｋ（ブラック）の４色などによるカラー画像を形成する画像形成装置としてもよい。
【００２０】
また、画像形成装置本体１０の外部上には表示部１４０が設けられている。表示部１４０は、制御部から入力される表示信号に従って、各種操作指示や設定情報を入力するための各種操作画面や各種情報等を表示する。
さらに画像形成装置本体１０には、ＵＳＢインターフェースが設けられており、その１つにはＵＳＢマウス２００が接続されている。ＵＳＢマウス２００は、本発明の操作部に相当する。
【００２１】
次に、画像形成装置１の制御ブロックを図２に基づいて説明する。
画像形成装置１は、主要な構成として、全体制御部１００とスキャナー部１３０と表示部１４０とプリンター部１５０とを有している。また、この実施形態では、図１では図示省略したが、後処理装置であるＦＮＳ１６０が画像形成装置の一部として画像形成装置本体に接続されている。なお、本発明としては後処理装置の有無は特に限定されるものではない。
【００２２】
全体制御部１００では、制御ＣＰＵ１１０を備えており、制御ＣＰＵ１１０にＤＲＡＭ制御ＩＣ１１１が接続されている。
制御ＣＰＵ１１０には、ＲＡＭ１１２、ＶＲＡＭ１１３、不揮発メモリー１１８が接続されている。不揮発メモリー１１８には、画像形成装置１の初期印刷設定情報や、プロセス制御パラメータ等の機械設定情報、出力設定などの初期データ、制御ＣＰＵ１１０を動作させるための制御プログラム等が格納されている。ＶＲＡＭ１１３は、表示部１４０に表示する画像データを格納する。
制御ＣＰＵ１１０は、制御プログラムの実行により画像形成装置１の全体を制御し、画像形成装置１全体の状態把握を行うものである。
【００２３】
前記スキャナー部１３０は、光学読み取りを行うＣＣＤ１３１と、スキャナー部１３０全体の制御を行うスキャナー制御部１３２とを備えている。スキャナー制御部１３２は、制御ＣＰＵ１１０に接続されており、制御ＣＰＵ１１０による制御を受ける。なお、スキャナー制御部１３２は、ＣＰＵやこれを動作させるプログラムなどによって構成することができる。前記ＣＣＤ１３１で読み取った画像情報は、読み取り処理部１１６でデータ処理がなされる。読み取り処理部１１６には、ＤＲＡＭ制御ＩＣ１１１に接続されており、読み取り処理部１１６でデータ処理された画像データはＤＲＡＭ制御ＩＣ１１１に送信される。
【００２４】
ＲＡＭ１１２は、ソフトウェアがロードされて、その実行に利用されるとともに、その実行に伴う作業エリアとして利用される。また、さらに、画面データを記憶する領域が割り当てられており、画面遷移に際し、一時記憶される。
前記表示部１４０は、ＬＣＤ１４１（Liquid Crystal Display）と、表示部制御部１４２とを備えており、上記ＬＣＤ１４１と表示部制御部１４２とが接続され、該表示部制御部１４２と前記制御ＣＰＵ１１０と、がシリアル通信可能に接続されている。該構成によって表示部１４０の制御が制御ＣＰＵ１１０によって行われ、ＶＲＡＭ１１３に描かれた画面画像がＬＣＤ１４１に表示されるとともに、なお、表示部制御部１４２は、ＣＰＵやこれを動作させるプログラムなどによって構成することができる。
【００２５】
ＤＲＡＭ制御ＩＣ１１１は、画像メモリー１１４に接続されている。該画像メモリー１１４には、前記スキャナー部１３０で取得した画像情報や印刷条件、ファイル情報などが格納される。上記のように画像メモリー１１４は、画像情報や印刷条件、ファイル情報の記憶領域であり、印刷するジョブの情報を格納する。
また、ＤＲＡＭ制御ＩＣ１１１には、ＨＤＤ１１５が接続されている。ＨＤＤ１１５には、画像データ、画像情報、印刷情報などを格納する領域が割り当てられる。
【００２６】
さらにＤＲＡＭ制御ＩＣ１１１には、書き込み処理部１１７が接続されている。該書き込み処理部１１７は、プリンター部１５０のＬＤ１５１に接続され、該ＬＤ１５１の動作に用いられるデータの処理を行う。また、プリンター部１５０は、プリンター部１５０の全体を制御するプリンター制御部１５２を備えており、該プリンター制御部１５２は、前記した制御ＣＰＵ１１０に接続されて制御を受ける。また、プリンター制御部１５２には、ＦＮＳ１６０全体を制御するＦＮＳ制御部１６１が接続されている。これにより、ＦＮＳ１６０の制御を、プリンター制御部１５２を通して制御ＣＰＵ１１０により制御することができる。
【００２７】
また、制御ＣＰＵ１１０には、外部との間で通信を行う通信部１２０の全体を制御する通信制御部１２１が接続されており、通信部１２０に含まれるＮＩＣ１２２（ネットワークインターフェースカード）を通してＬＡＮ（図示しない）に接続可能とされている。また、通信部１２０には、ＵＳＢインターフェース１２５を有しており、通信制御部１２１による制御を受ける。ＵＳＢインターフェース１２５には、１または２以上の外部ＵＳＢ機器を接続することができ、この実施形態では、前記したようにＵＳＢマウス２００が操作可能に接続されている。
【００２８】
通信制御部１２１は、制御ＣＰＵ１１０の動作指令によって動作し、予め定められた通信手順によって制御ＣＰＵ１１０から受け渡されるデータを、ＮＩＣ１２２を通してＬＡＮ（図示しない）に送出し、またＬＡＮから送られるデータやＵＳＢマウス２００から送られる操作入力情報をＮＩＣ１２２を通して受信し、制御ＣＰＵ１１０に送出する。制御ＣＰＵ１１０は、スキャナー制御部１３２、表示部制御部１４２、プリンター制御部１５２、通信制御部１２１などともに本発明の制御部を構成する。
【００２９】
次に、上記画像形成装置１の基本的動作について説明する。
先ず、画像形成装置１において画像情報を蓄積する手順について説明する。
第１に画像形成装置１において、スキャナー部１３０で原稿の画像を読み取り画像情報を生成する場合、スキャナー部１３０において原稿からＣＣＤ１３１により原稿の画像を光学的に読み取る。この際には、制御ＣＰＵ１１０から指令を受けるスキャナー制御部１３２によってＣＣＤ１３１の動作制御を行う。
ＣＣＤ１３１で読み取られた画像は、読み取り処理部１１６でデータ処理がなされ、データ処理された画像情報は、ＤＲＡＭ制御ＩＣ１１１を介して画像メモリー１１４やＨＤＤ１１５に格納される。画像メモリー１１４やＨＤＤ１１５に格納された画像情報や印刷
情報は、制御ＣＰＵ１１０によってジョブとして管理することができる。
【００３０】
画像情報を外部から取得する場合、例えば、外部機器などからＬＡＮを通して送信されるジョブ情報は、ＮＩＣ１２２、制御ＣＰＵ１１０を介してＤＲＡＭ制御ＩＣ１１１により画像メモリー１１４やＨＤＤ１１５に格納される。
【００３１】
画像形成装置１で画像出力を行う場合、すなわち複写機やプリンターとして使用する場合、画像メモリー１１４やＨＤＤ１１５に格納された画像情報を含むジョブ情報を、ＤＲＡＭ制御ＩＣ１１１を介して書き込み処理部１１７にデータとして送出し、書き込み処理部１１７からプリンター部１５０へ書き込みデータが送出される。
【００３２】
プリンター部１５０では、図示しない帯電部によって感光体の表面に一様に帯電を行った後に、ＬＤ１５１のレーザビームによって、書き込みデータに基づく露光走査を行って潜像を形成し、該潜像を現像部により反転現像して感光体の表面にトナー像を形成する。そして給紙トレイ１１から給紙された用紙は、搬送部１２によって転写位置へと送られ、該転写位置において転写部によりトナー像が転写される。その後、画像形成がされた用紙は、定着器により加熱定着され、ＦＮＳ１６０へと搬送される。画像形成がなされた用紙が搬送されるＦＮＳ１６０は、用紙にパンチを行うパンチユニットや、用紙にステイプルを行うステイプラーなどを備えており、所望により用紙への後処理を行う。
【００３３】
なお、画像出力に際しては、制御ＣＰＵ１１０ではジョブ情報に基づいて出力を行う。ジョブ情報は、前記画像情報の他に、出力条件情報を含んでいる。出力条件は、プリントモード、用紙情報、給紙トレイ、排紙先、後処理条件などの情報からなり、具体的には、出力画像の画素数、カラー・モノクロの別、片面・両面の別、色調調整、用紙サイズ、用紙の向き、用紙の種類（紙種、斤量、用紙の色など）、給紙トレイの選択、後処理の有無、後処理条件などが挙げられる。
【００３４】
出力条件は、予め初期設定として標準的な設定（デフォルト設定）が定められている。
また、出力条件は、表示部１４０に表示された操作画面においてＵＳＢマウス２００などの操作入力により設定することができる。画像情報を取得するような場合には、制御ＣＰＵ１１０によって表示部制御部１４２が制御され、ＬＣＤ１４１に出力設定入力が可能な操作画面が表示される。これらの操作画面情報は、不揮発メモリー１１８に格納しておき、必要に応じて制御ＣＰＵ１１０により読み出される。設定された情報は、不揮発メモリー１１８に格納される。
【００３５】
操作者によってＵＳＢマウス２００を通して適宜の操作入力がなされると、通信制御部１２１から制御ＣＰＵ１１０に対し、表示部１４０上で設定された出力条件（プリントモード、給紙トレイ、排紙先、後処理条件など）等の情報が通知される。該情報を受けた制御ＣＰＵ１１０では、出力条件情報を作成し、不揮発メモリー１１８に格納する。画像情報を取得すると、画像情報とともにジョブ情報として画像メモリー１１４やＨＤＤ１１５に格納される。
【００３６】
次に、表示部１４０に表示される操作画面の画面遷移（表示方法）について説明する。
図３は、トップ画面のジョブリスト画面１４００を示すものであり、画面中央部には、ジョブリスト１４０１が表示され、右側部には、操作が可能な複数の入力部が配置されている。ジョブリスト１４０１では、行単位でジョブが表示されており、いずれかのジョブが表示されている行に、ＵＳＢマウス２００の移動操作によってカーソル（図示していない）を位置させ、その位置でＵＳＢマウス２００の例えば左釦２０１を押釦することで入力操作を行うと、当該ジョブの行が反転表示され、ジョブが選択された状態になる。この状態で、入力釦のうち、ジョブチケット釦１４０２にＵＳＢマウス２００の移動操作によってカーソル（図示していない）を位置させ、その位置でＵＳＢマウス２００の例えば左釦２０１を押釦すると、ジョブチケット釦１４０２の押釦操作がなされる。
上記したジョブリスト１４０１の各ジョブの行部分や、ジョブチケット釦１４０２などの操作釦は、本発明の入力部に相当する。入力部に対する操作入力情報は、制御ＣＰＵ１１０に送信され、制御ＣＰＵ１１０では、操作入力がされた入力部に対応する処理を実行する。
【００３７】
制御ＣＰＵ１１０では、上記ジョブチケット釦１４０２に対する押釦操作に対し画面を遷移させ、図４に示すように、下位階層の操作画面としてチケット編集画面１４１０を表示部１４０に表示する。チケット編集画面１４１０では、ジョブチケットに関する各種の設定が可能になっており、基本設定、出力設定、応用設定、用紙設定、印刷面、画質調整のうちのさらに詳細な項目の設定が可能になっている。各項目に応じて押釦などが可能に入力部が表示されている。また、各設定後の処理項目として、キャンセル釦１４１３、新規保存釦１４１４、上書き保存釦１４１５などが操作入力可能に表示されている。例えば、設定項目のうち、小冊子釦１４１１にマウスを位置させてＵＳＢマウス２００の左釦２０１などで操作入力がなされると、制御ＣＰＵ１１０では、マウスの位置と操作入力に基づいて、図５に示すように、さらに下位階層の操作画面として小冊子設定画面１４２０をウィンドウ表示する。
【００３８】
小冊子設定画面１４２０には、開き方向、画像ページ間隔、用紙設定、出力設定、ソート設定などの設定項目について操作できるように釦表示などがされる。また、小冊子設定画面１４２０には、キャンセル釦１４２１、ＯＫ釦１４２２が操作可能に釦表示されている。キャンセル釦１４２１では、ＵＳＢマウス２００でカーソルを移動して釦上で入力操作がされると、小冊子設定画面１４２０で設定変更がされていない場合はそのまま、小冊子設定画面１４２０で設定変更されている場合は、変更内容をキャンセルして、小冊子設定画面１４２０を閉じるとともに、戻り先の上位階層のチケット編集画面１４１０に遷移する。
【００３９】
また、ＯＫ釦１４２２では、ＵＳＢマウス２００でカーソルを移動して釦上で操作入力がされると、小冊子設定画面１４２０で設定変更されている場合は、変更内容が反映された状態で小冊子設定画面１４２０を閉じるとともに戻り先の上位階層のチケット編集画面１４１０に遷移する。
【００４０】
上記のような操作では、従来は、下位階層の操作画面におけるＵＳＢマウス２００のカーソル位置情報が保持されて戻り先の操作画面で同位置にカーソルが表示されたり、デフォルトの位置にカーソルが表示されたりしてＵＳＢマウス２００による移動操作や入力操作が可能になる。
但し、本実施形態では、カーソル自動移動制御の機構が有効の場合、下位階層である小冊子設定画面１４２０における入力操作に連動させて、上位階層であるチケット編集画面１４１０におけるカーソルを自動的に移動させて位置させることができる。
例えば、キャンセル釦１４２１に上位階層のキャンセル釦１４１３を予め関連付け、ＯＫ釦１４２２に上位階層の新規保存１４１４や上書き保存釦１４１５を予め関連付けておけば、小冊子設定画面１４２０でキャンセル釦１４２１上にマウスを位置させてＵＳＢマウス２００で入力操作がなされると、チケット編集画面１４１０では、カーソルをキャンセル釦１４１３上またはその周囲の近傍に自動的に位置させる。また、小冊子設定画面１４２０でＯＫ釦１４２２上にマウスを位置させてＵＳＢマウス２００で入力操作がなされると、チケット編集画面１４１０では、カーソルを新規保存１４１４や上書き保存釦１４１５上またはその周囲の近傍に自動的に位置させる。新規保存か上書き保存かは、既に設定データが保存されているか否かによって制御ＣＰＵ１１０によって決定することができる。なお、関連付けは、キャンセル釦とＯＫ釦の一方のみに対し設定されているものであってもよい。
【００４１】
上記動作によって、次のＵＳＢマウス２００による入力操作を容易にする。例えば、下位階層の設定画面でキャンセルが選択されると、上位階層の設定画面でもそのままキャンセルされる可能性が高く、また、下位階層の設定画面で設定ＯＫとされると、上位階層の設定画面でもそのまま設定ＯＫとされる可能性が高く、階層間に亘るカーソル位置の制御を自動的に行うことで操作性が格段によくなる。
なお、釦の周囲にカーソルを自動位置制御により位置させる場合、予め釦からのオフセット量などを設定しておき、該設定に基づいて位置を定めることができる。
【００４２】
但し、上位階層の設定画面で、何らかの設定が行われている場合、他の設定に関し下位階層の設定画面でキャンセルがされたことを理由に上位階層の設定画面でキャンセルし易い位置にカーソルを位置させると、上位階層の設定をキャンセルする意図がない場合にも、誤ってキャンセル操作をしてしまうおそれがある。このため、上位階層の操作画面で、操作画面が表示されて設定が変更された後に、下位階層の前記操作画面で前記入力部に対し前記操作部による入力操作がされた場合は、カーソル自動移動制御を実行しないようにすることで誤操作を防止することができる。なお、このような不実行をするか否かは設定によって予め定めておき、また、操作者が設定を変更できるようにしてもよい。また、このような場合に実行しないとする機能を有しないものであってもよい。
【００４３】
また、下位階層の設定画面で設定を行うことで、戻り先の上位階層の操作画面で設定可能な入力部が新たに出現したり、設定不可であったものが設定可能になる場合がある。その場合に、カーソル自動移動制御によって上位階層の設定画面でＯＫなどをし易い位置にカーソルを位置させると、そのままＯＫの入力操作によって新たに設定可能になった内容に基づいて予期しない設定がされてしまう場合がある。これは設定可能な状態の入力部が新たに出現すると、デフォルトの設定内容になっている場合があり、その状態でＯＫ操作をすると、その内容が確定してしまうおそれがある。このため、下位階層の前記操作画面で設定が変更されたことで、戻り先の上位階層の前記操作画面で設定可能な状態の入力部が出現した場合、下位階層の前記操作画面で前記入力部に対し前記操作部による入力操作がされたとき前記カーソル自動移動制御を実行しないようにすることで意図しない設定がされてしまうのを回避することができる。なお、このような不実行をするか否かは設定によって予め定めておき、また、操作者が設定を変更できるようにしてもよい。また、このような場合に実行しないとする機能を有しないものであってもよい。
【００４４】
次に、他の操作画面の例を図６、図７に基づいて説明する。
小冊子設定画面１４２０で外側オフセット釦１４２３にカーソルを合わせてＵＳＢマウス２００で入力操作を行うと、制御ＣＰＵ１１０では、カーソル位置と入力操作内容に基づいて、外側オフセット値入力画面１４３０をさらにウィンドウ表示する。外側オフセット値入力画面１４３０は小冊子設定画面１４２０の下位階層の操作画面に相当する。
なお、外側オフセットは、中折した際に外側で発生する紙厚に伴い画像位置の補正を行うための機能であり、制御ＣＰＵ１１０の制御によって実行される。
【００４５】
外側オフセット値入力画面１４３０では、オフセット値の入力が可能なテンキー１４３１が入力操作可能に表示されており、入力値は入力値表示部１４３２に表示される。さらに外側オフセット値入力画面１４３０には、キャンセル釦１４３３とＯＫ釦１４３４とが操作可能に表示されている。テンキー１４３１やキャンセル釦１４３３、ＯＫ釦１４３４の上にＵＳＢマウス２００の移動操作によってカーソル１５００を位置させ、左釦２０１の押し下げによる入力操作を行うことで各釦に応じた処理が制御ＣＰＵ１１０によってなされる。
【００４６】
キャンセル釦１４３３に対する入力操作がなされると、テンキー１４３１によるオフセット値の入力がリセットされ、外側オフセット値入力画面１４３０が閉じられて上位階層の小冊子設定画面１４２０に画面遷移する。ＯＫ釦１４３４に対する入力操作がなされると、テンキー１４３１によるオフセット値が保持され、外側オフセット値入力画面１４３０が閉じられて上位階層の小冊子設定画面１４２０に画面遷移する。この画面において外側オフセット値入力画面１４３０で入力したオフセット値が反映される。
【００４７】
なお、下位階層のキャンセル釦１４３３と上位階層のキャンセル釦１４２１とを関連付け、下位階層のＯＫ釦１４３４と上位階層のＯＫ釦１４２２とを関連付けておき、カーソル自動移動制御を可能にすることができる。なお、関連付けは、キャンセル釦とＯＫ釦の一方のみに対し設定されているものであってもよい。関連付けは、予め不揮発メモリー１１８に格納しておく。また、カーソル自動移動制御の有効、無効を設定可能にすることができ、有効、無効の設定情報も不揮発メモリー１１８に格納しておく。
カーソル自動移動制御が有効の場合、キャンセル釦１４３３に対する操作入力が行われると、外側オフセット値入力画面１４３０を閉じた上で、上位階層の操作画面である小冊子設定画面１４２０でカーソル１５００をキャンセル釦１４３３に関連付けたキャンセル釦１４２１側にカーソル１５１０として自動的に位置するように制御ＣＰＵ１１０が制御する。
【００４８】
また、カーソル自動移動制御が有効の場合、ＯＫ釦１４３４に対する操作入力が行われると、外側オフセット値入力画面１４３０を閉じた上で、上位階層の操作画面である小冊子設定画面１４２０でカーソル１５００をＯＫ釦１４３４に関連付けたＯＫ釦１４２２側にカーソル１５１０として自動的に位置するように制御ＣＰＵ１１０が制御する。これにより、上位階層の操作画面に遷移した際に、カーソル１５００がキャンセル釦１４２１やＯＫ釦１４２２近傍に位置し、そのままキャンセルやＯＫを意図した操作を容易に行うことができる。
【００４９】
なお、カーソル自動移動制御では、カーソルを関連付けられた入力部上に位置させるようにしてもよく、またカーソルを入力部の周囲にある予め定めた領域に位置させるようにしてもよい。図７は、例えば、ＯＫ釦１４３４の周辺領域１４３４ａをカーソルが自動で移動して位置する領域に定めているものである。カーソルの位置を入力部の直上でない領域に位置させることで、ＵＳＢマウスの入力操作によって直ちにキャンセル釦やＯＫ釦がＯＫしないようにして誤操作を少なくすることができる。
【００５０】
また、この形態の操作画面においても、前記したように上位階層の設定画面で、何らかの設定が行われ後に、下位階層の前記操作画面で前記入力部に対し前記操作部による入力操作がされた場合は、カーソル自動移動制御を実行しないようにすることで誤操作を防止することができる。
【００５１】
さらに、下位階層の前記操作画面で設定が変更されたことで、戻り先の上位階層の前記操作画面で設定可能な状態の入力部が出現した場合、下位階層の前記操作画面で前記入力部に対し前記操作部による入力操作がされたとき前記カーソル自動移動制御を実行しないようにすることで意図しない設定がされてしまうのを回避することができる。
【００５２】
なお、カーソル自動移動制御は、前記したように機能の有効、無効の設定をできるようにしてもよい。
図８は、マウス設定画面１４５０を示すものであり、ユーティリティーメニューとして、ホイールブースター設定とともに、カーソル自動移動設定の使用する、使用しないの設定が可能になっている。すなわち、マウス設定画面１４５０には、カーソル自動移動設定に関し、「使用する」釦１４５１と「使用しない」釦１４５２が入力操作可能に表示されている。さらにマウス設定画面１４５０には、キャンセル釦１４５３とＯＫ釦１４５４とが入力操作可能に表示されている。キャンセル釦１４５３に対する入力操作がなされると、現在のマウス設定画面１４５０に対して行われた設定はキャンセルされて、上位階層の画面に遷移する。一方、ＯＫ釦１４５４に対する入力操作がなされると、現在のマウス設定画面１４５０に対して行われた設定内容がＯＫして、上位階層の画面に遷移する。
【００５３】
また、例えば「使用する」の設定がされている場合に、「使用しない」釦１４５２に対する入力操作がされると設定内容が変更され、「使用する」釦１４５１に対する入力操作がなされると、図９に示す下位階層のカーソル自動移動設定編集画面１４６０に遷移する。
カーソル自動移動設定編集画面１４６０では、移動スピード設定釦群１４６１とキャンセル感度設定釦群１４６２が入力操作可能に表示されており、カーソルの移動速度やキャンセル感度の設定が可能になっている。また、カーソル自動移動設定編集画面１４６０では、キャンセル釦１４６３とＯＫ釦１４６４とが入力操作可能に表示されている。
【００５４】
キャンセル釦１４６３に対する入力操作がなされると、カーソル自動移動設定編集画面１４６０で設定した内容がキャンセルされ、カーソル自動移動設定編集画面１４６０が閉じられて、上位階層のマウス設定画面１４５０に遷移する。一方、ＯＫ釦１４６４に対する入力操作がなされると、カーソル自動移動設定編集画面１４６０で設定した内容が保持され、カーソル自動移動設定編集画面１４６０が閉じられて、上位階層のマウス設定画面１４５０に遷移する。カーソル自動移動設定編集画面１４６０で設定された内容は、マウス設定画面１４５０に反映される。なお、上記操作においても、上記したようにカーソル自動移動制御を機能させるようにしてもよい。すなわち、カーソル自動移動設定編集画面１４６０とマウス設定画面１４５０との間において、キャンセル釦１４６３とキャンセル釦１４５３とを関連付け、ＯＫ釦１４６４とＯＫ釦１４５４とを関連付けておく。カーソル自動移動制御が有効になっていると、カーソル自動移動設定編集画面１４６０でキャンセル釦１４６３に対する入力操作がなされると、カーソル自動移動設定編集画面１４６０が閉じられて、戻り先の上位階層のマウス設定画面１４５０に遷移するとともに、カーソルがキャンセル釦１４５３側に自動的に移動して位置する。
【００５５】
また、カーソル自動移動制御が有効になっている場合、カーソル自動移動設定編集画面１４６０でＯＫ釦１４６４に対する入力操作がなされると、カーソル自動移動設定編集画面１４６０が閉じられて、戻り先の上位階層のマウス設定画面１４５０に遷移するとともに、カーソルがＯＫ釦１４５４側に自動的に移動して位置する。
なお、カーソル自動移動の有効、無効は、関連付けられている入力部毎に設定可能にしてもよい。
【００５６】
なお、カーソル自動移動に際し、移動させるカーソルの位置を設定可能にしてもよい。
図１０のカーソル自動移動設定編集画面１４６０では、前記した入力部の他に、カーソル到達地点設定釦群１４６５を入力操作可能に設けることができる。カーソル到達地点設定釦群１４６５では、「ボタン上」釦１４６５ａと「ボタン近傍」釦１４６５ｂとが入力操作可能に設けられている。「ボタン上」釦１４６５ａに対する入力操作を行って、ＯＫ釦１４６４で設定をＯＫさせると、カーソル自動移動制御では、カーソルは対応する釦の上にカーソルが移動して位置するように制御される。一方、「ボタン近傍」釦１４６５ｂに対する入力操作を行って、ＯＫ釦１４６４で設定をＯＫさせると、カーソル自動移動制御では、カーソルは対応する釦の上ではなく、その周囲の近傍にカーソルが移動して位置するように制御される。この際の到達地点は、予め釦に対する距離や方向などによって設定しておくことができる。また、この設定を操作者が変更できるようにしてもよい。なお、カーソル自動移動の到達先は、関連付けられている入力部毎に設定可能にしてもよい。
【００５７】
次に、カーソルへの入力操作に対するカーソル移動の処理手順を図１１のフローチャートに基づいて説明する。なお、以下の処理手順は、制御ＣＰＵ１１０によって実行される。
先ず、操作者のＵＳＢマウスなどの操作によって上位階層である１階層画面が開かれ（ステップｓ１）、次いで、当該画面で設定値が変更されているかを判定する（ステップｓ２）。設定値が変更されていれば（ステップｓ２、Ｙｅｓ）、下位階層である２階層画面が開かれる（ステップｓ３）。この画面で、ＯＫ釦やキャンセル釦に対する入力操作を受けて該入力操作に対応する処理を行う（ステップｓ４）。次いで、カーソルを動かさない処理を行う（ステップｓ５）。これは、１階層画面で設定が変更されていない場合、カーソル自動移動制御機能は無効となるように設定されているためである。なお、このような場合でもカーソル自動移動制御機能が有効である設定になっていてもよく、無効設定ができないものであってもよい。
【００５８】
一方、１階層画面で設定値が変更されていない場合（ステップｓ２、Ｎｏ）、下位階層である２階層画面が開かれる（ステップｓ６）。この画面で、ＯＫ釦やキャンセル釦に対する入力操作を受けて該入力操作に対応する処理を行う（ステップｓ７）。次いで、２階層画面でのＯＫ釦やキャンセル釦に対する入力操作を受けて１階層画面で有効になった釦があるかを判定する（ステップｓ８）。有効になった釦がある場合（ステップｓ８、Ｙｅｓ）、カーソルを動かさない処理を行う（ステップｓ５）。これは、２階層画面でＯＫ釦やキャンセル釦に対する入力操作が行われることにより１階層画面で設定操作が可能状態の入力部が出現した場合はカーソル自動移動制御機能は無効とされるように設定されているためである。なお、このような場合でもカーソル自動移動制御機能が有効である設定になっていてもよく、無効設定ができないものであってもよい。
【００５９】
１階層画面で有効になった釦がない場合（ステップｓ８、Ｎｏ）、カーソル自動移動が許可されているかを判定する（ステップｓ９）。カーソル自動移動が許可されていない場合（ステップｓ９、Ｎｏ）、カーソルを動かさない処理を行う（ステップｓ５）。カーソル自動移動が許可されている場合（ステップｓ９、Ｙｅｓ）、カーソルを設定に従って関連付けられた上位階層の釦側に自動移動させる（ステップｓ１０）。
【００６０】
なお、この実施形態では、操作部としてＵＳＢマウスを説明したが、シリアルマウスや、さらにタブレットなどであってもよく、要は表示部に対しカーソルを表示しつつ操作を行うことができるものであればよい。また、この実施形態では、カーソルとして図６で矢示状のものを表示したが、カーソルの形状や表示方法が特に限定されるものではない。
【００６１】
以上、本発明について上記実施形態に基づいて説明を行ったが、本発明は上記実施形態の内容に限定されるものではなく、本発明の範囲を逸脱しない限りは適宜の変更が可能である。
【符号の説明】
【００６２】
１    画像形成装置
１０    画像形成装置本体
１１    給紙トレイ
１２    搬送部
１５    画像形成部
１１０  制御ＣＰＵ
１４０  表示部
２００  ＵＳＢマウス
１４００  ジョブリスト画面
１４１０  チケット編集画面
１４２０  小冊子設定画面
１４３０  外側オフセット値入力画面
１４５０  マウス設定画面
１４６０  カーソル自動移動設定編集画面
【図１】
2014067307.tif 000003
【図２】
2014067307.tif 000004
【図３】
2014067307.tif 000005
【図４】
2014067307.tif 000006
【図５】
2014067307.tif 000007
【図６】
2014067307.tif 000008
【図７】
2014067307.tif 000009
【図８】
2014067307.tif 000010
【図９】
2014067307.tif 000011
【図１０】
2014067307.tif 000012
【図１１】
2014067307.tif 000013